(57)【要約】  【課題】背もたれをバックフレームにサポートシートが張られた構成にしているロッキング椅子において、美感アップと強度確保とを実現する。  【手段】背もたれ５はバックフレーム１３とサポートシート１４とから成っており、バックフレーム１３は左右サイドメンバー１６とアッパーメンバー１７とロアメンバー１８とから成っている。バックフレーム１３のサイドメンバー１６は揺動フレーム８に締結されている。サイドメンバー１６は揺動フレーム８に左右外側から重なっており、かつ、ロアメンバー１８はジョイントフレーム１２る前から重なっている。背支柱１０とサイドメンバー１６との外面は滑らかに連続している。背支柱１０の存在はアピールされつつ、背支柱１０とバックフレーム１３との一体感が醸し出されている。【選択図】図３
2010099103.tif 000002
【特許請求の範囲】
【請求項１】
座と背もたれ、及び前記座の下方に配置したベースとを有しており、前記ベースにはばね手段に抗して後傾動する左右一対の揺動フレームが連結されており、前記左右揺動フレームの後端は略上向きに立ち上がった背支柱になっている一方、前記背もたれは、上下長手の左右サイドメンバーとその上端に繋がったアッパーメンバー及び下端に繋がったロアメンバーとから成るバックフレームを備えており、前記バックフレームが揺動フレームの背支柱に固定されている、
という椅子であって、
前記バックフレームのサイドメンバーと揺動フレームの左右背支柱とを、バックフレームのサイドメンバーが背支柱の左右外側に露出して背支柱は後ろ側に露出する状態で重ねて固定している、
ロッキング椅子。
【請求項２】
前記背支柱の背面とバックフレームにおけるサイドメンバーの背面とが滑らかに連続しており、かつ、前記背もたれはバックフレームに張られたメッシュ状のサポートシートを有しており、前記バックフレームにおける各メンバーの外周にはサポートシートを取り付けるための溝が形成されており、サポートシートはバックフレームの前面を覆う状態で張られている、
請求項１に記載したロッキング椅子。
【請求項３】
前記サイドメンバーは、概ね着座者の腰に位置した部分が最も前端に位置した頂点部となるように側面視で前向き凸状に曲がっており、前記背支柱は、前記サイドメンバーの頂点部の近傍部まで延びている、
請求項１又は２に記載したロッキング椅子。
【請求項４】
前記左右背支柱の下端部は左右横長のジョイントフレームで連結されており、前記バックフレームのロアメンバーがジョイントフレームに手前側から重なっている、
請求項１〜３のうちのいずれかに記載したロッキング椅子。
【請求項５】
前記バックフレームの左右幅寸法は座の左右幅寸法と同じ程度に設定されている一方、前記左右背支柱は座及びバックフレームの左右外面よりも内側にずれて配置されており、前記バックフレームにおけるサイドメンバーの下端部の外側面を、背支柱の付け根部に向けて傾斜した傾斜面と成している、
請求項１〜４のうちのいずれかに記載したロッキング椅子。
【発明の詳細な説明】
【技術分野】
【０００１】
本願発明は、背もたれが弾性手段（ばね手段）に抗して後傾するロッキング椅子に関し、特に、背もたれをバックフレームにメッシュ状サポートシートが張られた構成としているタイプのロッキング椅子を好適な対象にしている。
【背景技術】
【０００２】
ロッキング椅子において背もたれを後傾させる機構には多くのものが提案され或いは実施されているが、一般には、ベースに揺動フレーム（背フレーム）を後傾動自在に連結して、この揺動フレームに背もたれを取り付けていることが多い。揺動フレームに背もたれを取り付ける構成も多種多用であるが、一般には揺動フレームに上向きの背支柱を一体又は別体に設けて、この背支柱に背もたれを取り付けていることが多い。その例として特許文献１，２では、背支柱を背もたれの上端部まで延ばしており、背もたれと背支柱と間には間隔が空いている。
【０００３】
他方、背もたれを前後に開口したバックフレームにメッシュ状（或いはネット状）のサポートシートが張られた構成として、着座者の体圧をサポートシートで受ける椅子が存在しており、その鏑矢を成す例が特許文献３に開示されている。この特許文献３では、バックフレームは前後に開口した形態であると共に、ベースに連結される揺動フレームが一体に形成されている。換言すると、揺動フレームにバックフレームを一体に形成している。
【０００４】
また、背もたれをサポートシートで構成することは非ロッキング椅子にも適用されており、その例として特許文献４には、サポートシートが張られた正面視四角形のバックフレームを背支柱の左右内側に配置することが開示されており、また、特許文献５には、左右の背支柱に筒状の支持部材を上から嵌め込み装着し、左右の支持部材にサポートシートを取り付けることが開示されている。
【特許文献１】特開２００７−３１９２８８号公報
【特許文献２】特開２０００−０７９０３４号公報
【特許文献３】特表平８−５０７９３５号公報
【特許文献４】特開２００１−２２４４６１号公報
【特許文献５】特開２００１−００８７８５号公報
【発明の開示】
【発明が解決しようとする課題】
【０００５】
バックフレームにサポートシートが張られた構成の椅子において、揺動フレームは強度を確保するためアルミ等の金属材料製とするのが好適であり、バックフレームは加工の容易性や軽量性等の点から樹脂製品とするのが好適であると言える。従って、一般には、揺動フレームとバックフレームとは別部材で構成するのが現実的であると言える。バックフレームを金属製とすすることも可能であるが、この場合も、加工の容易性からは揺動フレームとバックフレームとを別部材で構成するのが好ましい。
【０００６】
そして、バックフレームを揺動フレームに固定する手段の例として特許文献１，２，４，５が挙げられるが、特許文献１，２では、背支柱は背もたれの上端まで延びているため背支柱が目立ち過ぎると共に、背支柱と背もたれの間に空間が空いているため両者の一体感が乏しくてシンプルさに欠ける虞がある。
【０００７】
他方、特許文献４の構成では、背支柱がバックフレームの左右外側に露出しているためロッキング椅子に適用すると見栄えが悪くなる虞がある。また、特許文献５のようにバックフレームのサイドメンバーを筒状に形成するのは加工が面倒であると共に、デザインが制約されてしまうという問題がある。
【０００８】
本願発明はこのような現状に鑑み成されたものであり、バックフレームを背支柱に固定して成る椅子において、見た目や強度等の問題を改善することを課題としている。
【課題を解決するための手段】
【０００９】
本願発明に係る椅子は、「座と背もたれ、及び前記座の下方に配置したベースとを有しており、前記ベースにはばね手段に抗して後傾動する左右一対の揺動フレームが連結されており、前記左右揺動フレームの後端は略上向きに立ち上がった背支柱になっている一方、前記背もたれは、上下長手の左右サイドメンバーとその上端に繋がったアッパーメンバー及び下端に繋がったロアメンバーとから成るバックフレームを備えており、前記バックフレームが揺動フレームの背支柱に固定されている」、という基本構成になっている。
【００１０】
そして、請求項１の発明では、上記基本構成において、前記バックフレームのサイドメンバーと揺動フレームの左右背支柱とを、バックフレームのサイドメンバーが背支柱の左右外側に露出して背支柱は後ろ側に露出する状態で重ねて固定している。
【００１１】
請求項２の発明は、請求項１において、前記背支柱の背面とバックフレームにおけるサイドメンバーの背面とが滑らかに連続しており、かつ、前記背もたれはバックフレームに張られたメッシュ状のサポートシートを有しており、前記バックフレームにおける各メンバーの外周にはサポートシートを取り付けるための溝が形成されており、サポートシートはバックフレームの前面を覆う状態で張られている。
【００１２】
請求項３の発明は、請求項１又は２において、前記サイドメンバーは、概ね着座者の腰に位置した部分が最も前端に位置した頂点部となるように側面視で前向き凸状に曲がっており、前記背支柱は、前記サイドメンバーの頂点部の近傍部まで延びている。更に請求項４の発明は、請求項１〜３のうちのいずれかにおいて、前記左右背支柱の下端部は左右横長のジョイントフレームで連結されており、前記バックフレームのロアメンバーがジョイントフレームに手前側から重なっている。
【００１３】
請求項５の発明は、請求項１〜４のうちのいずれかにおいて、前記バックフレームの左右幅寸法は座の左右幅寸法と同じ程度に設定されている一方、前記左右背支柱は座及びバックフレームの左右外面よりも内側にずれて配置されており、前記バックフレームにおけるサイドメンバーの下端部の外側面を、背支柱の付け根部に向けて傾斜した傾斜面と成している。
【発明の効果】
【００１４】
請求項１の発明では、背支柱とバックフレームのサイドメンバーとは左右に重なった状態に固定されているため、請求項２のように両者の外面を揃えた状態にすることができ、このため背支柱とサイドメンバーとの一体感を醸して見栄えの良い椅子と成すことができる。特に、実施形態のように揺動フレーム（背支柱）をアルミ製としてバックフレームを樹脂製とすると、アルミの持つ質感が椅子の外観に現れるため、特に優れた美感を実現できる。
【００１５】
また、バックフレームのサイドメンバーは背支柱の左右外側に位置しているため、請求項２のようにバックフレームにサポートシートを張る場合、サポートシートをサイドメンバーの外周に取り付けることも簡単に行える。更に、背支柱はバックフレームにおけるサイドメンバーの内側に配置されているため、揺動フレームが左右外側に過度に露出して邪魔になることも防止できる。
【００１６】
請求項１ではサイドメンバーの取り付け態様として様々の方法を採用できるが、請求項２のようにバックフレームの外周に形成した溝を利用してサポートシートを取り付けると、椅子の正面視においてバックフレームの全体がサポートシートで覆われるため、椅子の正面方向から見た背もたれの面積の略全体を着座者の体圧面として利用することが可能になって体圧支持機能を向上できると共に、人に柔らかい印象を与えて椅子の商品価値を向上できる。
【００１７】
さて、近年、椅子に関しては、着座者を正しい姿勢に保持するため、着座者の腰部（特に第３腰椎を中心にした部分）を後ろから支えるランバーサポート機能が重要視されている。この場合、ランバーサポート機能を発揮させるには、背もたれは、着座者の腰部に当たる部分が側面視で最も前に位置するように側面視で前向き凸状に曲がった形態となすことが必要である。
【００１８】
そして、背もたれがランバーサポート機能を発揮するようにバックフレームを側面視で前向き凸状の形態と成した場合、背支柱の高さを請求項３のようにバックフレームの頂点部の付近まで延びる高さに設定すると、背支柱は程々の高さであるため、ロッキングに際して背もたれに掛かったモーメントを的確に支持しつつ、背支柱が過度に露出することを防止して見栄えの良い椅子とすることができる。
【００１９】
バックフレームは左右の背支柱を連結する補強部材としても機能しているが、請求項４のように左右の揺動フレーム（背支柱）をジョイントフレームで連結すると、揺動フレーム（背支柱）の連結強度を一層向上させることができる。また、椅子の組み立てに際しては、左右の揺動フレームがジョイントフレームによっいて一体に繋がって所定の姿勢に保持された状態でベースに取り付けられているため、バックフレームを固定する作業も簡単に行える。
【００２０】
ベースに左右の揺動フレームを取り付けているロッキング椅子では、左右の揺動フレームは座の左右外側にはみ出ないようになるべく内側に寄せるのが好ましいが、背もたれの左右横幅と座の左右横幅とは一般に同じ程度の寸法に設定しているため、何らの措置を講じないと、背支柱の左右外面とバックフレームにおけるサイドメンバーの左右外面とに段差が生じて体裁が悪化する不具合が懸念される。これに対して請求項５の構成を採用すると、バックフレームのサイドメンバーに傾斜面を形成したことにより、バックフレームにおけるサイドメンバーの外面と背支柱の外面とは滑らかに連続するため、美感に優れた椅子となすことができる。
【発明を実施するための最良の形態】
【００２１】
次に、本願発明の実施形態を図面に基づいて説明する。本実施形態は、事務用に多用されている回転椅子に適用している。以下の説明では方向を特定するための左右の文言を使用するが、この左右の方向は、着座した人が向いた方向を基準にしている。
【００２２】
(1).概要
まず、図１〜図６に基づいて椅子の概要を説明する。図１のうち（Ａ）は椅子の斜視図で（Ｂ）は背もたれの部分的な一部破断正面図、図２は側面図、図３のうち（Ａ）は椅子の背面図、（Ｂ）は背もたれの一部を省略した状態での後方からの斜視図、図４は前方から見た分離斜視図、図５は後方から見た分離斜視図、図６は（Ａ）（Ｂ）とも主としてロッキング機構を示す分離斜視図である。
【００２３】
例えば図１〜３に示すように、椅子は、主要要素として、脚支柱２（ガスシリンダ）を有する脚装置１、脚支柱２の上端に固定されたベース３、ベース３の上方に配置された座４、背もたれ５、オプション品として背もたれ５に取付けられたヘッドレスト装置６を備えている。脚１は放射状に延びる複数本の枝足７を備えており、各枝足７の先端にはキャスタを設けている。
【００２４】
ベース３の左右両側には左右一対の揺動フレーム８が配置されている。揺動フレーム８は、非ロッキング時に水平に近い姿勢で後傾している基部９とその後端から立ち上がった背支柱１０とから成っている。そして、揺動フレーム８はその前端部を中心にして後傾動（回動）するように、基部９の前端部がベース３に左右長手の支軸部１１で連結されている。揺動フレーム８は例えばアルミダイキャストのような金属成形品を採用しているが、樹脂成形品で良いし、或いは、板金製品を採用することも可能である。左右の揺動フレーム８は、基部９と背支柱１０とが連接したコーナー部においてジョイントフレーム１１で連結されている。
【００２５】
背もたれ５は、正面視略四角形のバックフレーム１３にサポートシート１４が張られた構成であり、バックフレーム１３は揺動フレーム１０の支柱１０にビスで固定されている（詳細は後述する。）。バックフレーム１３は、着座者の腰部に当たる部分が側面視で最も前端となるように側面視で緩く湾曲しており、従って、サポートシート１４（或いは背もたれ５）はランバーサポート部１４ａを有している。サポートシート１４におけるランバーサポート部１４ａの左右両側部には裏側からランバーパッド１４が当たっている。なお、サポートシート１４は平面視で前向き凹状に凹んでいる。また、本実施形態のサポートシート１４は縦長の疎部と密部とが左右方向に交互に配置された縦縞模様の外観を呈しており、疎部では前後に透けて見える。
【００２６】
例えば図４に示すように、バックフレーム１３は樹脂の成形品であり、上下方向に長く延びる左右サイドメンバー１６と、左右サイドメンバー１６の上端に繋がったアッパーメンバー１７と、左右サイドメンバー１６の下端に繋がったロアメンバー１８とから成っている。従って、バックフレーム１３は正面視で略四角形の形態を成している。アッパーメンバー１７及びロアメンバー１８は平面視で前向き凹状に緩く湾曲している。
【００２７】
既述のとおり、揺動フレーム１０はその前端部を中心にして後傾するようにベース３に支軸部９で連結されているが、本実施形態では、ロッキング用ばね手段として、支軸部９に内蔵したトーションバーを採用している。トーションバーはその左右中間部がベース３に回転不能に保持されており、左右両端部は揺動フレーム８の前端部に固定されている。このため、揺動フレーム８はトーションバーをねじり変形させながら後傾する。
【００２８】
支軸部１１はベース３の左右外側に大きく突出しており、このため揺動フレーム８もベース３のかなり外側に配置されている。但し、例えば図３（Ｂ）から理解できるように、揺動フレーム８は座４の左右外側面よりも内側に位置している。従って揺動フレーム８が人の歩行の邪魔になるようなことはない。
【００２９】
座４は、樹脂製のインナーシェル（図示せず）とその上面に張ったクッション、及びインナーシェルを支持するアウターシェル１９を有している。本願発明との関係は薄いので詳細は省略するが、座４のアウターシェル１９は中間部材に前後位置可能に取り付けられており、中間部材の前部はフロントリンク２０でベース３に連結されている。フロントリンク２０の上端は前後長手の補助枠材２１に連結されている。補助枠材２１は中間部材に対して前後スライド可能で、座４（アウターシェル１９）とは一体に動く。
【００３０】
図４〜６に示すように、揺動フレーム１０の内側面にはリアリンク２２が配置されている。リアリンク２２は揺動フレーム８に似た側面視略Ｌ形の形態であり、起立部２２ａが揺動フレーム８における背支柱１０の内面に沿って延びており、かつ、リアリンク２２は起立部２２ａの付け根よりもやや手前側の部位において枢支ピン（ビス：図示せず）で揺動フレーム８に連結されている。リアリンク２１の前端は上向きに突出しており、これが補助枠材２１の後端部にリアピン２４で連結されている。
【００３１】
従って、背もたれ５（及び揺動フレーム８）が後傾すると座４は後退しつつ後傾する。図６に示すように、揺動フレーム８のおおよそ前後中間部の内側面には水平に対してやや後傾した姿勢のガイド長穴２５が空いている一方、座４が取り付けられている中間部材にはガイド長穴２５にスライド自在に嵌まるガイドピン２４′（図４参照）を設けている。ガイドピン２４′がガイド長穴２５でガイドされることにより、座４は独自に後退及び後傾することなく、揺動フレーム８との連動関係が強制されている。図６に符号２６で示すのはガイド長穴２５に装着される樹脂製キャップであり、また、符号２７で示すのは、ガイドピン２４′が嵌まっている保護ブッシュである。
【００３２】
着座した人が背もたれ５にもたれ掛かると、リアリンク２２の起立部２２ａも後傾するが、背支柱１０に対しても相対的に後傾する。すなわち、背支柱１０が後傾する割合よりもリアリンク２２の起立部２２ａが後傾する割合が大きい。そして、リアリンク２２における起立部２２ａの上端部に、既述したランバーパッド１５を高さ調節可能に取り付けている。従って、ロッキングに際してランバーパッド１５は背支柱１０に対して相対的に後退することになり、このため、サポートシート１４はロッキングするとテンションが緩む。
【００３３】
さて、非ロッキング状態で人がパソコン操作等の執務・作業を行う場合、上半身はサポートシート１４のランバーサポート部１４ａで腰部を後ろから支えているのが好ましい。従って、非ロッキング状態では、ランバーサポート部１４ａは側断面視で前向き凸にかなり突出しているのが好ましい。他方、ランバーサポート部１４ａが大きく突出した状態のままでロッキング状態に移行すると、腰部が過度に突き上げられる虞がある。そこで本実施形態では、ロッキング時にはランバーパッド１５を背支柱１０に対して相対的に後退させてサポートシート１４のテンションを緩めているのである。
【００３４】
ヘッドレスト装置６は、バックフレーム１３におけるサイドメンバー１６の左右内側面から立ち上がった左右のヘッド支柱２７を有しており（図１（Ａ）や図４では片方のヘッド支柱１７しか表示していない）、ヘッド支柱２７にヘッドレスト２８が高さ調節可能に取り付けられている。
【００３５】
ヘッド支柱２７はその下端寄りの部位を中心にして前後に回動するようにピン（或いはビン部）でサイドメンバー１６に連結されており、かつ、ヘッド支柱２７の下端は、回動吸収装置２９を介してリアリンク２２の起立部２２ａに連結されている。ロッキングに際してはヘッド支柱２７はその上部が手前に移動するように回動する。従って、着座した人は、ロッキング状態のままで頭を起こすことなくパソコンのディスプレイを楽に見ることができたり、読書に際して本を持ち上げる必要がないといった利点がある。また、回動吸収装置２９にはばねが内蔵されており、ヘッド支柱２７はばねに抗して後傾動させることができる。
【００３６】
(2).揺動フレーム及びジョイントフレーム
次に、従前の図に加えて図７以下の図面も参照して揺動フレーム８とバックフレーム１３との関係を詳述する。図７は背支柱１０にバックフレーム１３を取り付けた状態の斜視図で、図８は揺動フレーム８とジョイントフレーム１２との斜視図、図９は揺動フレーム８とジョイントフレーム１２との斜視図、図１０はバックフレーム１３と揺動フレーム８とジョイントフレーム１２との関係を示す斜視図、図１１のうち（Ａ）は背支柱１０の上部の斜視図、（Ｂ）はバックフレーム１３におけるサイドメンバー１６の破断斜視図である。図１２のうち（Ａ）は非ロッキング状態での部分側面図、（Ｂ）はロッキング状態での部分側面図、図１３は図１２においてランバーパッド１５を少し下方にずらした状態での XIII-XIII視断面図である。まず、揺動フレーム８とジョイントフレーム１２について説明する。
【００３７】
既述のとおり揺動フレーム８はアルミの成形品であり、例えば図９（Ａ）に示すように、揺動フレーム８の基部９は内側に開口した概ね樋状に形成されていてその内部に補強リブを設けている。また、揺動フレーム８の基部９のうち前後略中間部には、外向きに開口すると共にやや外側に突出した角形穴部３１（図６（Ａ）参照）が形成されている。この角形穴部３１は肘掛け装置を取り付けるためのものであり、肘掛け装置を取り付けない場合はカバー３２（例えば図５参照）で塞がれている。
【００３８】
例えば図８（Ａ）に示すように、揺動フレーム８の基部９にはリアリンク２２が嵌まるボス部３３を設けている。従って、既述した枢支ピン（ビス）は正確にはリアリンク２２の抜け止め機能を果たしている。例えば図７（Ｂ）に示すよう、揺動フレーム８の基部９には、リアリンク２２を覆うための下インサイドカバー３４を設けている。
【００３９】
例えば図８や図１３等の各図に示すように、背支柱１０は側板３５と背面板３６とを有している。側板３５は平面視で前後方向に延びているが、背面板３６は平断面視において背もたれ５の中心に行くに従って後ろにずれるような傾斜にしており、従って、背支柱１０は平断面視において変形Ｌ形になっている。背支柱１０における側板３５の前端には低い内向きのフロントリブ３７が形成されており、従って、側板３５の内側は浅い溝状の形態を成している。そして、側板３５の内側には、フロントリブ３７と同じ程度の高さの補強リブ３８の群を形成している。
【００４０】
背支柱１０を変形Ｌ形に形成しているのは、側板３５と背面板３６とで囲われた空間にリアリンク２２の起立部２２ａを配置するためである。リアリンク２２の起立部２２ａは上インサイドカバー３８で覆われている。図８（Ａ）や図１１（Ａ）等の各図に示すように、背支柱１０における背面板３６の上部には、上インサイドカバー３９を取り付けるためのブラケット部４０を設けている。また、背支柱１０における背面板３６には、上下に長く延びる内向きのリアリブ４１を形成している。
【００４１】
既述のとおり、ヘッド支柱２７はリアリンク２２の後傾動に連動して前傾動するものでり、回動吸収装置２９がリアリンク２２にける起立部２２ａの上端に連結されている。そして、ヘッドレスト装置６を取り付けない場合もあり、この場合は、例えば図１１（Ａ）に示すように背支柱１０の上端には天キャップ４２が装着されている。背支柱１０における背面板３６の上端部内面にには、天キャップ４２を取り付けるための係止部４３を設けている。
【００４２】
例えば図８〜１０に示すように、ジョイントフレーム１２は平面視で前向き凹状に緩く湾曲していると共に前向き開口の溝型に形成されており、かつ、内部には多数の補強リブを設けている。そして、その左右両端部にはやや下方に突出すると共に手前側に延びる嵌合部４４を一体に設け、嵌合部４４を揺動フレーム８のコーナー部に内側から嵌め込んでいる。嵌合部４４には揺動フレーム８に下方から挿通した２本のビス４５がねじ込まれており、ジョイントフレーム１２はビス４５で揺動フレーム８に締結されている。
【００４３】
例えば図９に示すように、揺動フレーム８のコーナー部の内面には、位置決め用の前後３つの突部４６，４７が形成されている一方、ジョイントフレーム１２の嵌合部４４には突部４６，４７に嵌合する凹部４８，４９が形成されている。手前側の２つの座部４６にはビス４５の挿通穴が空いている。このような突部４６，４７と凹部４８，４９との嵌め合わせにより、ジョイントフレーム１２は揺動フレーム８にずれ不能の状態で強固に締結されている。ジョイントフレーム１２の上面部には、前向きに突出した庇部１２ａが形成されている。
【００４４】
ジョイントフレーム１２は揺動フレーム８と同様にアルミの成形品を使用している。なお、揺動フレーム８とジョイントフレーム１２とを一体構造品として製造することも不可能ではないが、これは加工が面倒であるのみならず、トーションバーの取り付けなど椅子の組み立ても頗る厄介になる。これに対して本実施形態では、揺動フレーム８の加工の容易性や椅子の組み立ての容易性を損なうことなく、揺動フレーム８とジョイントフレーム１２とから成るフレーム体を頑丈な構造品と成すことができる。この点も本実施形態の利点の一つである。
【００４５】
背支柱１０は、サイドメンバー１６のうち側面視で最も前に位置した頂点部の当たり（すなわちランバーサポート部１４ａのあたり）まで延びている。背もたれ５として見ると、おおよそ背もたれ５の上下中間部のあたりまで延びている。このように背支柱１０が相当の長さを有することによって背もたれ５の支持強度が確保されており、また、背支柱１０は背もたれ５の全長までは延びていないため、背支柱１０が過度に露出して違和感を与えることはない。また、ヘッドレスト装置７の取り付けの障害にもなっていない。
【００４６】
(3).バックフレーム
例えば図１１（Ｂ）に示すように、バックフレーム１３のサイドメンバー１６は揺動フレーム８の背支柱１０に左右外側から重なっている。サイドメンバー１６は左右外側に向けて前後幅が徐々に小さくなる略台形の断面形状であり、かつ、前面５１も背面５２も背もたれ５の中心部に近づくほど後ろにずれるように後ろ向きに傾斜している。サイドメンバー１６の前面５１を後ろ向き傾斜させているのは、サポートシート１４が体圧で後ろ向きに逃げるように変形することを許容するためと、サポートシート１４のランバーサポート部１４ａの箇所にランバーパッド１５の設置スペースを確保するためとの２つの大きな理由に基づいている。
【００４７】
サイドメンバー１６の背面５２を後ろ向きに傾斜させているのは、主として美感のアップのためである。そして、図１３に明瞭に示すように、サイドメンバー１６の背面５２と背支柱１０の背面５２とはごく緩い曲面を成す状態て滑らかに連続しており、このため、背支柱１０とサイドメンバー１６との一体感が醸されて優れた体裁になっている。
【００４８】
図３（Ａ）に明瞭に示すように、左右の背支柱１０は上に行くほど間隔が広がるように緩い角度で傾斜しており、背支柱１０の下端は座４の左右外面よりもある程度の寸法だけ左右内側に入り込んでいる。他方、バックフレーム１３の左右サイドメンバー１６も背支柱１０と同様に僅かの角度で傾斜している。そして、バックフレーム１３におけるサイドメンバー１６の外側面５３は略平坦面になっているが、その下端部は揺動フレーム８の基部９に向けて内向き傾斜した傾斜面５３ａになっている。この傾斜面５３ａの存在より、サイドメンバー１６と揺動フレーム８との一体感が一層高められている。なお、傾斜面５３ａは下に行くほど前後幅が大きくなっている。
【００４９】
バックフレーム１３を構成する各メンバーの外周面は平坦面になっている。そして、図１３に代表して明示するように、各メンバーの外周を構成する平坦面に溝条５４が長く延びて形成されており、サポートシート１４の終縁に固定された縁部材５５が溝条５４に嵌め込まれている。なお、縁部材５５は各メンバーの箇所ごとに分断されている。
【００５０】
サポートシート１４がバックフレーム１３の外周面に取り付けられているため、背もたれ５の前面の面積の全体が着座面になっており、このため、肩幅の大きい人も安定的に支持される。また、バックフレーム１３はサポートシート１４の後ろに隠れるため（透けては見える）、恰も背もたれ５の全体がサポートシート１４で構成されているかのような外観を呈しており、このため独特の美感が顕れている。
【００５１】
例えば図１０に示すように、揺動フレーム８の背支柱１０は僅かながら上に行くほど細くなっており、また、バックフレーム１３のサイドメンバー１６は下に行くほど平断面積が大きくなっている。このため強度が確保されていると共に（下部には大きなモーメントがかかるので強度か必要である）、バックフレーム１３と背支柱１０との滑らかな連続状態が確保されている。
【００５２】
そして、例えば図１０や図１１に示すように、サイドメンバー１６のうち背支柱１０に重なる部分は内向きに開口した溝状になっており、内部には多数の補強リブ５６を設けている。これは、例えば肉厚をできるだけ均等化して成形時のヒケを防止するためである。
【００５３】
図１３に示すように、背支柱１０はビス５７とナット５８とで背支柱１０に締結されている。ビス５７は背支柱１０の側板３５に内側から挿通されており、ナット５８はサイドメンバー１６に形成した前向き開口のナット穴５９に嵌め込まれて回転不能に保持されている。ナット穴５９は手前に開口しているので、ナット穴５９はサポートシート１４で隠れて殆ど視認できず、従って美感上の問題はない。サイドメンバー１６は上下２カ所の位置で背支柱１０に固定しており、例えば図１０では、サイドメンバー１６のビス挿入穴６０を明示している。
【００５４】
例えば図４に示すように、バックフレーム１３を構成するアッパーメンバー１７には、把手やハンガーを取り付けるため、左右２つのブラケット部６１を形成している。
【００５５】
本実施形態では揺動フレーム８とジョイントフレーム１２とバックフレーム１３との関係にも配慮されている。この点を説明しておく。バックフレーム１３は背支柱１０とジョイントフレーム１２とに対して手前側から重なっており、しかも、サイドメンバー１６は背支柱１０の外側面に重なっている。このような重なり合いを違和感なく実現するため、例えば図５に示すように、バックフレーム１３においては、先ず、ロアメンバー１８をサイドメンバー１６の背面よりも手前側でサイドメンバー１６の下端面よりも上に配置しており、こりにより、サイドメンバー１６の下端を背支柱１０の外側面に重ねることを実現している。
【００５６】
また、既述のとおりジョイントフレーム１２の上面には庇部１２ａを設けており、このため、例えば図７（Ｂ）に示すように、バックフレーム１３のロアメンバー１８はジョイントフレーム１２の庇部１２ａの下方に隠れた状態になっている。このため、椅子を後ろから見た状態（バックビュー）でロアメンバー１８は露出しておらず、恰もジョイントフレーム１２がバックフレーム１３の一部であるかのような外観を呈している。ジョイントフレーム１２とロアメンバー１８とはビス類で締結することも可能である。
【００５７】
更に、例えば図９（Ａ）に示すように、背支柱１０における側板３５の下端にはバックフレーム１３のロアメンバー１８が入り込む凹所６２を形成しており、これにより、バックフレーム１３の下端においてサイドメンバー１６の前面とロアメンバー１８の左右両端部の前面とが同一面に揃っている（両者を同一面に揃えることは、サポートシート１４の張る上で重要である。）。
【００５８】
(4).ランバーパッド
最後にランバーパッド１５について言及しておく。ランバーパッド１５は樹脂製品であり、図１〜４に示すように、上下長手で側面視及び平面視で前向き突状に湾曲している。このため、サポートシート１４は特定部位に応力が集中することなく円滑に支持されている。そして、図１２及び図１３に示すように、ランバーパッド１５のうち左右外端部にはリアリンク２２の起立部２２ａに前から嵌まる溝形の受け部６３が後ろ向きに突設されている。受け部６３の内底面に山形のストッパー突起（図示せず）が形成されている一方、リアリンク２２の起立部２２ａにはストッパー突起が嵌まる凹所６４を多段に形成している。
【００５９】
また、ランバーパッド１５の背面には人が指で摘まみ得る横向きの操作片６５を一体に形成している。従って、椅子の使用者は好みや体格等に応じてランバーサポート１４の高さ位置を調節できる。上インサイドカバー３９の内面には、ランバーパッド１５が後退したときに受け部６３を安定的に保持するスペーサ６６を配置している。
【００６０】
(5).その他
本願発明は上記の実施形態の他にも様々に具体化できる。例えば、適用対象は必ずしも回転椅子に限定されるものではなく、劇場用椅子やベンチのような固定式椅子にも適用できる。背もたれはサポートシートの方式が好適であるが、インナーシェルとクッションとを有する方式を排除するものではない。揺動フレームの基部と背支柱とを別部材に構成することも可能である。
【００６１】
ジョイントフレームを使用せずに、左右の揺動フレームをバックフレームに固定することで前提の強度を確保することも可能である。背もたれのロッキング機構として様々の態様を採り得ることはいうまでない。バックフレームは、全体を一体成形することなく複数の部材を締結することで構成しても良い。例えば、左右サイドメンバーとアッパーメンバーとは一体物として製造し、ロアメンバーは別部材として製造してこれを左右サイドメンバー１６の下端に固定するといったことも可能である。
【図面の簡単な説明】
【００６２】
【図１】（Ａ）は実施形態に係る椅子の斜視図で（Ｂ）は背もたれの部分的な一部破断正面図である。
【図２】椅子の側面図である。
【図３】（Ａ）は椅子の背面図、（Ｂ）は背もたれの一部を省略した状態での後方からの斜視図である。
【図４】前方から見た分離斜視図である。
【図５】後方から見た分離斜視である。
【図６】主としてロッキング機構を示す分離斜視図である。
【図７】背支柱にバックフレームを取り付けた状態の斜視図である。
【図８】揺動フレームとジョイントフレーム１２との斜視図である。
【図９】揺動フレームとジョイントフレーム１２との斜視図である。
【図１０】バックフレームと揺動フレームとジョイントフレームとの関係を示す斜視図である。
【図１１】（Ａ）は背支柱の上部の斜視図、（Ｂ）はバックフレームにおけるサイドメンバーの破断斜視図である。
【図１２】ランバーパッドの取り付け状態を示す図で、（Ａ）は非ロッキング状態でのランバーパッド箇所の部分側面図、（Ｂ）はロッキング状態での部分側面図である。
【図１３】図１２においてランバーパッドを少し下方にずらした状態での XIII-XIII視断面図である。
【符号の説明】
【００６３】
１  脚装置
３  ベース
４  座
５  背もたれ
８  揺動フレーム
９  揺動フレームの基部
１０  揺動フレームの背支柱
１２  ジョイントフレーム
１３  バックフレーム
１４  サポートシート
１５  ランバーパッド
１６  バックフレームのサイドメンバー
５３ａ  サイドメンバーの傾斜面
【図１】
2010099103.tif 000003
【図２】
2010099103.tif 000004
【図３】
2010099103.tif 000005
【図４】
2010099103.tif 000006
【図５】
2010099103.tif 000007
【図６】
2010099103.tif 000008
【図７】
2010099103.tif 000009
【図８】
2010099103.tif 000010
【図９】
2010099103.tif 000011
【図１０】
2010099103.tif 000012
【図１１】
2010099103.tif 000013
【図１２】
2010099103.tif 000014
【図１３】
2010099103.tif 000015